(57)【要約】【課題】  丸型端子を用いつつ、簡単に端子台に着脱することができるとともに、端子台に装着した状態では確実に導通させると共に抜けを防止できるようにすること【解決手段】  ケース２内部に、挿入口５から挿入された丸型端子３のリング状部３ａの中央空間内に入り込んで離脱を抑止する固定板部１２と、リング状部の上面に接触する抑え板部１３と、リング状部の下面に接触する導電性の端子面２１と、を設ける。固定板部と抑え板部は、弾性変形可能にし、丸型端子を装着した際には、固定板部はリング状部の中央空間内に入り込みその丸型端子の離脱を抑止し、抑え板部はリング状部の上面に接触し、端子面との間で所定の圧力で挟み込む。リリースボタン４を内方に押し込むと、リリースボタンの奥側が固定板部を後方に付勢して固定板部の下方端部を上昇移動させ、リング状部との固定を解除する。【選択図】        図７
2009211903.tif 000002
【特許請求の範囲】
【請求項１】
産業用コントローラその他のＦＡ用ネットワークを構成する装置・機器に用いられる丸型端子用スクリューレス端子台であって、
ケースの正面に丸型端子の挿入口と、リリースボタンを設け、
ケース内部に、前記挿入口から挿入された丸型端子のリング状部の中央空間内に入り込んで離脱を抑止する固定板部と、前記リング状部の上面に接触する抑え板部と、そのリング状部の下面に接触する導電性の端子板と、を設け、
前記端子板は、外部回路に導通可能とされ、
前記固定板部と前記抑え板部は、弾性変形可能で、ケース内部に上方から下方奥側に向けて傾斜するように配置され、
前記丸型端子の非装着時の前記固定板部の下方先端と前記端子板との距離と、前記抑え板部の下方先端と前記端子板との距離は、前記リング状部の肉厚よりも短く設定し、
前記丸型端子を装着した際には、前記固定板部は前記リング状部の中央空間内に入り込みその丸型端子の離脱を抑止し、前記抑え板部は前記リング状部の上面に接触し、前記端子板との間で所定の圧力で挟み込むように構成され、
前記リリースボタンを内方に押し込むと、そのリリースボタンの奥側が前記固定板部に接触し、その固定板部を後方に付勢して前記固定板部の下方端部と前記端子板との距離が前記リング状部の肉厚よりも長くなるように構成されたことを特徴とする
丸型端子用スクリューレス端子台。
【請求項２】
前記固定板部と前記抑え板部は、１枚の金属板を折り曲げ形成することで構成されることを特徴とする請求項１に記載の丸型端子用スクリューレス端子台。
【請求項３】
前記抑え板部の下方先端は、後方上方側に向けて折り返される湾曲部に形成されていることを特徴とする請求項１または２に記載の丸型端子用スクリューレス端子台。
【請求項４】
前記端子板は、前記ケースの外部に突出する端子ピンと導通するように構成されたことを特徴とする請求項１から３のいずれか１項に記載の丸型端子用スクリューレス端子台。
【請求項５】
前記抑え板部は、前記固定板部の両側に配置されたことを特徴とする請求項１から４のいずれか１項に記載の丸型端子用スクリューレス端子台。
【発明の詳細な説明】
【技術分野】
【０００１】
この発明は、丸型端子用スクリューレス端子台に関するものである。
【背景技術】
【０００２】
ＦＡ（Ｆａｃｔｏｒｙ  Ａｕｔｏｍａｔｉｏｎ）におけるネットワークシステムを構成するコントローラ，リモート装置等は、その表面に端子台が設置される。この端子台に、通信線や電力線等の電線の端部を着脱自在に装着する。この端子台に装着する端部は、一般に丸型端子が用いられる。この丸型端子は、リング状の平板金具の外周の一部を外側に突出させた突辺部を備えた形状となり、この突辺部にケーブル・リード線の一端を半田やカシメ（圧着）などにより固定している。
【０００３】
日本においては、電力系統の電気配線では、信頼性の要求から、上記の丸型端子が重用され、生産現場に設置されるＰＬＣ等のコントローラや、ＦＡネットワークシステムを構成する装置・機器においても、電気配線となる端子台に通信線や電力線等の電線を接続する場合、丸型端子を用いる。
【０００４】
丸型端子を用いた場合、端子台に対してはネジを用いて固定する。そのため、端子台の周囲にはネジを締結するためのドライバーやトルクレンチ等の工具の作業空間を確保する必要があり、設置レイアウトの自由度が低下する。また、丸型端子を着脱するために行なうネジを正逆回転させる作業は、繁雑である。
【０００５】
一方、特許文献１に開示されたように、ヨーロッパでは、電線の端部を端子台に着脱自在に取り付けるに際し、ネジを用いないスクリューレス方式が用いられる。このスクリューレス方式は、電線の先端の被覆を剥がした裸線をそのまま端子部に挿入し、その挿入した裸線をバネの弾性復元力を利用した摩擦力により固定する接続構造となる。この接続構造は、着脱作業が簡単にできるというメリットがあるものの、丸型端子が用いられていないので、日本では普及されないのが現実である。
【０００６】
また、電線の先端自体や細棒状の端子以外の形状の端子を用いたスクリューレス方式の端子台として、特許文献２に開示された技術が提案されている。この特許文献２に開示された技術は、先端が二股状に分岐した平板金具を用いた二股状端子（Ｙ型端子）を用いる。そして、係止部材が、端子台に挿入されたＹ型端子の外周縁の所定位置を抑えることで離脱を抑止する構成を採る。
【特許文献１】特開昭６１−２４０５８２号公報
【特許文献２】特開２００５−６３８１４号公報
【発明の開示】
【発明が解決しようとする課題】
【０００７】
端子台は、ユーザに採用される形状の丸型端子を簡単に着脱するとともに、装着した状態では端子を電気的に導通する必要がある。特許文献２に開示された端子台は、端子を固定する機構と、導通させる機構が別部材から構成されるとともに複雑な機構を採っている。
【０００８】
この発明は、丸型端子を用いつつ、簡単に端子台に着脱することができるとともに、端子台に装着した状態では確実に導通させると共に、不用意に丸型端子が抜けることが無く、さらに係る着脱させる機構と、導通させるための機構を簡単な構成で実現することのできる丸型端子用スクリューレス端子台を提供することを目的とする。
【課題を解決するための手段】
【０００９】
上述した目的を達成するため、本発明に係る丸型端子用スクリューレス端子台は、（１）産業用コントローラその他のＦＡ用ネットワークを構成する装置・機器に用いられる丸型端子用スクリューレス端子台である。ケースの正面に丸型端子の挿入口と、リリースボタンを設ける。ケース内部には、挿入口から挿入された丸型端子のリング状部の中央空間内に入り込んで離脱を抑止する固定板部と、リング状部の上面に接触する抑え板部と、そのリング状部の下面に接触する導電性の端子板と、を設ける。端子板は、外部回路に導通可能とされ、固定板部と抑え板部は、弾性変形可能で、ケース内部に上方から下方奥側に向けて傾斜するように配置される。そして、丸型端子の非装着時の固定板部の下方先端と端子板との距離と、抑え板部の下方先端と端子板との距離は、リング状部の肉厚よりも短く設定する。丸型端子を装着した際には、固定板部はリング状部の中央空間内に入り込みその丸型端子の離脱を抑止し、抑え板部はリング状部の上面に接触し、端子板との間で所定の圧力で挟み込むように構成する。リリースボタンを内方に押し込むと、そのリリースボタンの奥側が固定板部に接触し、その固定板部を後方に付勢して固定板部の下方端部と端子板との距離がリング状部の肉厚よりも長くなるように構成した。端子板は、実施形態では第２金具２０（端子部２１）に対応する。
【００１０】
固定板部と抑え板部のそれぞれの下方先端と、端子板との距離が、丸型端子のリング状部の肉厚よりも短く（実施形態ではほぼ０で接触）設定しているので、丸型端子を挿入口より挿入すると、そのリング状部の外周縁が固定板部や抑え板部に接触する。このとき、固定板部と抑え板部は、後方（奥側）に向けて傾斜しているので、丸型端子をさらに内方に押し込むと、固定板部並びに抑え板部に対して後方への付勢力が加わり、その固定板部等が弾性変形してその下方先端部が後方に下がりながら上昇移動する。これにともない、丸型端子の後方移動が許容される。
【００１１】
そして、固定板部の下方先端が、リング状部の内側の中央空間側に位置すると、固定板部は弾性復元力によりその下方先端が下降移動し、その位置がリング状部の上面よりも下側に位置する。この状態から、丸型端子を逆方向に移動、つまり、ケースから取り出す方向に移動させると、固定板部の下方先端が、リング状部の内周面に接触し、それ以上の取り出す方向の移動を規制する。これにより、抜け防止が確実に行える。
【００１２】
また、リング状部の中央空間内に固定板部の下方先端が位置した状態では、抑え板部は、リング状部の上面に接触する。そして、弾性復元力により、抑え板部がリング状部を下方に付勢するので、リング状部は、抑え板部と端子板との間で所定の圧力で挟み込まれる。よって、リング状部は、端子板としっかりと面接触するので、導通がはかれる。しかも、接触面積を広くすることができ、大電流に対応できる。
【００１３】
一方、装着した丸型端子を取り外すには、リリースボタンを押下し、固定板部の下方端部をリング状部の上面よりも上側に位置させる。これにより、固定状態が解除されるので、丸型端子を引き出すことができる。
【００１４】
実施形態では、固定板部と抑え板部は、金属板から一体的に形成したが、両者は、別部材で構成しても良い。また、金属のように導電性を持たせる必要は必ずしも無く、樹脂その他の材質でも良い。ただし、金属板の方が耐久性がよいと共に、簡単な構成で適度な弾性力を得られるので好ましい。
【００１５】
端子板を外部回路に導通可能にする構成は、実施形態のように、一体に形成した端子ピン部を突出するようにしても良いし、ケースを回路基板等に装着することで外部回路側に形成したピン等がケース内に挿入され、ケース内部で端子板と直接または間接的に導通するようにしても良い。
【００１６】
リリースボタンは、実施形態では、樹脂の一体成型で形成した。これにより、簡単な構成により実現することができるが、本発明はこれに限ることはなく、リリースボタンは、複数の部材を連結して構成されるものでも良い。
【００１７】
（２）固定板部と抑え板部は、１枚の金属板を折り曲げ形成することで構成するとよい。係る構成を採ると、簡単な構成で板バネによる弾性力を発揮させると共に、耐久性が向上するので好ましい。さらに、一体に形成するので、部品点数も少なく、かつ、組み立ても容易となる。
【００１８】
（３）抑え板部の下方先端は、後方上方側に向けて折り返される湾曲部に形成されていると良い。このようにすると、その湾曲部が丸型端子のリング状部の上面に接触している状態で前後方向に丸型端子を移動させた場合、その移動を許容しつつしっかりと端子板との間でリング状部を挟み込むことができる。
【００１９】
（４）端子板は、ケースの外部に突出する端子ピンと導通するように構成するとよい。端子板と端子ピンは、別部材で構成し両者を直接または間接的に接続するように下良いし、実施形態のように一体的に形成しても良い。
【００２０】
（５）抑え板部は、固定板部の両側に配置されるようにするとよい。このようにすると、バランスよくリング状部を抑えることができるので好ましい。
【発明の効果】
【００２１】
本発明は、丸型端子を挿入口から内部に向けて押し込むだけで、丸型端子を簡単に端子台に装着でき、端子台に装着した状態では確実に導通させると共に、固定板部がリング状部の中央空間内に入り込むことで抜けを防止することができる。また、リリースボタンを押すことで固定端子板がリング状部の中央空間から離脱するので、丸型端子を簡単に引き出し、端子台から離脱させることができる。よって、丸型端子をスクリューレス方式にて簡単に端子台に着脱させることができる。そして、係る着脱させる機構と、導通させるための機構を簡単な構成で実現することができる。
【発明を実施するための最良の形態】
【００２２】
以下、図面に基づいて、本発明に係る丸型端子用スクリューレス端子台の好適な一実施形態を説明する。図１〜図５に示すように、端子台１は、ケース２の正面に形成された帯状の挿入口５に、丸型端子３を挿入することで、その丸型端子３を固定し、挿入口５の上側に配置されたリリースボタン４を押下することで、丸型端子３に対する固定機構が開放され、取り外し可能となる。丸型端子３は、平板状のリング状部３ａと、そのリング状部３ａの外周の一部を外側に突出させた突辺部３ｂと、を備えた形状からなる。この突辺部３ｂに、電線７の先端を圧着して一体化している。
【００２３】
ケース２の内部空間内には、図６，図７に示すように、上方に第１金具１０を配置すると共に、下方に第２金具２０を配置する。第１金具１０は、ケース２の天面２ａと、その天面２ａの下側に所定距離をおいて配置される支持部２ｂとの間に挟み込まれて吊り下げ支持される。また、第２金具２０は、ケース２の底面２ｃ上に設置される。
【００２４】
第１金具１０は、金属プレートを適宜折り曲げて形成される。その形状は、図８，図１０に示すように、平板部１１と、その平板部１１の一辺側から下方に延びる固定板部１２と、固定板部１２の両側に配置された帯板状の抑え板部１３と、を備えて構成される。固定板部１２と抑え板部１３とは、平板部１１に一辺に連係される傾斜壁部１４に下端から上方に向けて縦方向に延びる切り欠き溝１４ａにより形成される。さらに、抑え板部１３の下方先端は、後方上方側に向けて折り返される湾曲部１３ａとなる。
【００２５】
また、平板部１１と、傾斜壁部１４（固定板部１２，抑え板部１３）とのなす角は、鋭角に設定される。この平板部１１が、天面２ａと支持部２ｂとの間に挿入されて支持される。さらに、第１金具１０は、金属板を折り曲げて形成されているため、板バネを構成する。
【００２６】
一方、図９，図１０に示すように、第２金具２０は、平板状の端子面２１と、端子面２１の長手方向両端縁を下方に折り曲げて形成される縁部２２，２３と、一方の縁部２３の中央部位を下方に延長する細棒状の端子ピン部２４と、を備えた形状からなる。第２金具２０は、金属板を折り曲げて形成されているため、端子板を構成する端子面２１はその全体が導電性を有する。よって、端子面２１と端子ピン部２４とは、導通する。
【００２７】
ケース２の底面２ｃのケース内面正面側には、凹溝２ｄが形成され、ケース２の底面２ｃのケース内面後面側には、スリット（貫通孔）２ｅが形成される。そして、第２金具２０を底面２ｃ上に設置した状態では、縁部２２が凹溝２ｄ内に挿入され、縁部２３がスリット２ｅ内に挿入されることで、その位置が規制される（水平方向の移動が抑制される）。さらに、端子ピン部２４は、スリット２ｅ内を貫通し、ケース２の外側に突出する。端子面２１は、この端子ピン部２４を介して外部回路と導通する。
【００２８】
さらに、ケース２の正面に設けたリリースボタン４は、その奥側先端が固定板部１２に接触する。通常状態では、リリースボタン４の前側先端は、ケース２の正面から外側に突出しているので、その突出した部分を押し込むことで、リリースボタン４が固定板部１２を後方に付勢する。これにより、固定板部１２は、弾性変形して、その固定板部１２の下端は後方上方に向けて移動する。なお、リリースボタン４の押し込みを解除すると、弾性復元力により固定板部１２は前方側に移動して元の位置に復帰するので、リリースボタン４も押し戻され、リリースボタン４の前側先端がケース２の正面から外側に突出する。なお、リリースボタン４の後方側先端には、その外周縁が外側に突出する突部４ａが形成されている。この突部４ａの外周縁の寸法形状は、ケース２に設けたリリースボタン４の挿入用孔部６の内周縁の寸法形状よりも大きくしているので、リリースボタン４がケース２から離脱するのが抑制される。
【００２９】
本実施形態では、図７に示すように、丸型端子３の未挿入の状態では、固定板部１２，抑え板部１３の下方先端が第２金具２０の端子面２１に接触或いは近接している。この状態で丸型端子３をケース２の正面の挿入口５からケース内に挿入すると、丸型端子３の先端、つまりリング状部３ａの外周縁が固定板部１２並びに抑え板部１３に接触する。この状態からさらに丸型端子３を内方に押し込むと、固定板部１２，抑え板部１３は弾性変形してその下方先端が上昇して逃げるので、丸型端子３の内方へのさらなる移動が許容される。
【００３０】
そして、丸型端子３を完全に内部に押し込んだ状態では、図５にも示すように、固定板部１２はリング状部３ａの中央空間部位に位置するため、図７に拡大して示すように、固定板部１２は弾性復元力により元の状態、つまり、下方先端が下降移動する。よって、固定板部１２の下方先端は、丸型端子３のリング状部３ａ内に入り込み、第２金具２０の端子面２１に接触或いは近接する。そして、固定板部１２は、ケース２の奥側に向けて傾斜しているので、丸型端子３を挿入する際は、リング状部３ａの進入に伴いスムーズに弾性変形してその進入を許容するが、丸型端子３を取り外す方向に移動させた場合には、固定板部１２の下方先端が上昇移動するような弾性変形をせず固定板部１２がリング状部３ａの内周面に接触し、それ以上の離脱方向の移動が阻止される。このように、簡単に挿入することができると共に、機械的な機構により抜け防止構造を構築しているため、本実施形態の抜け防止力は、特許文献１等に示す摩擦力による抜け防止強度よりも遙かに向上する。
【００３１】
一方、丸型端子３を完全に内部に押し込んだ状態では、図５にも示すように、抑え板部１３はリング状部３ａの周囲の環状部分に位置するため、図６に拡大して示すように、抑え板部１３はリング状部３ａに接触した状態を保持する。しかも、抑え板部１３は、弾性復元力により元の状態、つまり、下方先端が下降移動する方向に付勢されるため、抑え板部１３は、リング状部３ａを下方に付勢する。よって、第１，第２金具１０，２０間で丸型端子３（リング状部３ａ）を所定の圧力で挟み込み、しっかりと接触するため、確実に導通がはかれる。しかも、丸型端子３のリング状部３ａは、第２金具２０の端子面２１に対して面接触されるので、接触面積を多くとれる。よって、大電流を流すことが可能となる。
【００３２】
また、このように端子台１に装着した丸型端子３を取り外す場合、リリースボタン４を内方に押し込み、固定板部１２を後方に付勢し、その下方先端をリング状部３ａよりも上方に上昇移動させる。これにより、固定板部１２によるリング状部３ａに対する固定が解除され、丸型端子３の前方への取り外しが可能となる。
【００３３】
よって、本実施形態によれば、丸型端子３の端子台１への着脱が、ワンタッチで簡単に行なえ、しかも、装着した状態では、抜けが確実に防止できると共に、丸型端子３の端子への電気的接続を確実に行えるようになる。よって、本実施形態の端子台は、電気的導通が確実にはかれるとともに、その状態を保持できる高信頼性の丸型端子を用いたスクリューレス構造の端子台となる。丸型端子３の装着並びに取り外しの作業は、ケース２の正面側から行なえ、しかも、ケースに対する前後方向の移動処理で対応できるので、ネジ止め操作などが不要となり、丸型端子３のリング状部３ａと直交する方向（本実施形態では、上方向）にネジ止め等のための作業空間を確保する必要が無くなる。
【００３４】
なお、上述した実施形態では、第１金具１０と第２金具２０とを別の金属板から構成したが、一体に形成してももちろん良い。また、ケース２等の形状は、設置対象に応じて適宜変更可能であるのはもちろんである。
【図面の簡単な説明】
【００３５】
【図１】本発明に係る丸型端子用スクリューレス端子台の好適な一実施形態を示す斜視図である。
【図２】本発明に係る丸型端子用スクリューレス端子台の好適な一実施形態を示す正面図である。
【図３】本発明に係る丸型端子用スクリューレス端子台の好適な一実施形態を示す平面図である。
【図４】本発明に係る丸型端子用スクリューレス端子台の好適な一実施形態を示す側面図である。
【図５】図２のＣ−Ｃ線矢視断面図である。
【図６】図２のＡ−Ａ線矢視断面図である。
【図７】図２のＢ−Ｂ線矢視断面図である。
【図８】第１金具１０を示す図である。
【図９】第２金具２０を示す図である。
【図１０】第１，第２金具１０，２０を示す斜視図である。
【符号の説明】
【００３６】
１  端子台
２  ケース
２ａ  天面
２ｂ  支持部
２ｃ  底面
２ｄ  溝部
２ｅ  スリット
３  丸型端子
３ａ  リング状部
３ｂ  突辺部
４  リリースボタン
５  挿入口
６  挿入用孔部
７  電線
１０  第１金具
１１  平板部
１２  固定板部
１３  抑え板部
１４  傾斜壁部
１４ａ  切り欠き溝
２０  第２金具
２１  端子面
２２  縁部
２３  縁部
２４  端子ピン部
【図１】
2009211903.tif 000003
【図２】
2009211903.tif 000004
【図３】
2009211903.tif 000005
【図４】
2009211903.tif 000006
【図５】
2009211903.tif 000007
【図６】
2009211903.tif 000008
【図７】
2009211903.tif 000009
【図８】
2009211903.tif 000010
【図９】
2009211903.tif 000011
【図１０】
2009211903.tif 000012